(57)【要約】【課題】絞り羽根と駆動リングの間、及び駆動リングと駆動モータの間のガタを取り除くことで、絞り口径の精度を向上させる絞り装置を提供する。  【解決手段】地板１に回転可能に配置された駆動リング４と協働して同じ方向に作動させられる複数の絞り羽根５は、各絞り羽根５を一方向に常にばね６で付勢され、且つ駆動リング４のカム溝４ｂに形成された複数の被係合部４ｃの中の一つに係合する。これにより駆動リング４と絞り羽根５との間、及び駆動リング４とステップモータ２のガタを無くすことができると共に、所定の絞り口径を保持できるので、絞り口径の精度を向上させ維持することが出来る。【選択図】図２
2016143052.tif 000002
【特許請求の範囲】
【請求項１】
円形の開口部を有している地板と、前記開口部の周りに回転可能な駆動リングと、各々が前記地板に回転可能に取り付けられていると共に前記駆動リングのカム溝に挿入される連結ピンを有しており各々が協働して絞り開口を形成する複数枚の絞り羽根と、前記各絞り羽根を光軸と交叉する方向に付勢する複数の付勢部材と、前記連結ピンと係合する複数の被係合部と、前記駆動リングのカム溝に形成されていて前記駆動リングと歯車連結された駆動モータと、前記駆動リングのカム溝に形成されていて前記駆動リングと歯車連結された駆動モータと、前記地板に取り付けられていて前記駆動リングと歯車連結された駆動モータとを備えていることを特徴とする光量調整装置。
【請求項２】
前記付勢部材が、前記地板に取り付けられたねじりコイルばねであり、該ねじりコイルばねの一方の腕部を前記地板に掛け止めし他方の腕部を前記絞り羽根の前記連結ピンに掛け止めしていることを特徴とする請求項１に記載の光量調整装置。
【請求項３】
請求項１または２に記載の光量調整装置を備えていることを特徴とするカメラ。
【発明の詳細な説明】
【技術分野】
【０００１】
本発明は、複数枚の絞り羽根が、駆動リングによって同時に同じ方向へ往復回転させられ、協働して形成する絞り開口の大きさを変化させるようにした光量調整装置、及びそれを備えたカメラに関する。
【背景技術】
【０００２】
従来、このような分野の技術として、例えば以下の特許文献１がある。この特許文献１に記載された光量調整装置は、ステッピングモータ２の出力を出力軸３に設けられた出力歯車４から板ばね１０により一方向に付勢されたアイドラギア８を介して風車５に伝達し、風車５と連動する複数の絞り羽根６を相対移動させて任意の絞り開口径を設定する。これにより各歯車間における歯車の噛み合わせによるメカ的なガタ（所謂、バックラッシ）を無くし、絞り口径の高精度化を達成している。
【先行技術文献】
【特許文献】
【０００３】
【特許文献１】特開２００３−１２１９０１号公報
【発明の概要】
【発明が解決しようとする課題】
【０００４】
しかしながら、特許文献１に記載の絞り装置は、組立て公差によっては、最大絞り口径位置や最小絞り口径位置で絞り風車が作動範囲を規制するストッパに先に当接してしまうと、出力歯車から風車までのガタを無くすことはできるが、風車ミゾカムと絞り羽根の羽根カムフォロアピン間のガタまでを無くすことができない虞がある。
【０００５】
本発明は、上記事情に対処することを課題の一例とするものである。すなわち絞り口径の精度に直接影響する絞り羽根と駆動リングとのガタを無くして絞り口径の精度を向上させ、且つ絞り口径を確実に維持することができる光量調整装置、及びそれを備えたカメラを提供することを目的とする。
【課題を解決するための手段】
【０００６】
上記の目的を達成するために、本発明による光量調整装置は、円形の開口部を有している地板と、開口部の周りに回転可能な駆動リングと、各々が地板に回転可能に取り付けられていると共に駆動リングのカム溝に挿入される連結ピンを有しており各々が協働して絞り開口を形成する複数枚の絞り羽根と、各絞り羽根を光軸と交差する方向に付勢する複数の付勢部材と、駆動リングのカム溝に形成されていて絞り羽根の連結ピンと係合する複数の被係合部と、地板に取り付けられていて駆動リングと歯車連結された駆動モータと、を備えているようにした、ことを特徴とする。
【０００７】
また、本発明の光量調整装置は、付勢部材が、地板に取り付けられたねじりコイルばねであり、ねじりコイルばねの一方の腕部を地板に掛け止めし他方の腕部を絞り羽根の連結ピンに掛け止めしていることを特徴とする請求項１に記載の光量調整装置。
【発明の効果】
【０００８】
さらに駆動源と歯車連結された駆動リングのカム溝に、光軸と交差するように付勢された絞り羽根の連結ピンと係合する複数の被係合部を形成することにより、絞り羽根と駆動源の出力軸リング間のガタを確実に無くすことができる。これにより簡単な構造で絞り口径の精度を向上させることができると共に、駆動源の無通電時における耐衝撃性を向上させることができる。
【図面の簡単な説明】
【０００９】
【図１】最大の絞り開口の制御状態を示した実施例の平面図。
【図２】最大絞り開口と最小絞り開口の間の絞り開口の制御状態のおける係合状態を示した要部断面図。
【図３】最小の絞り開口の制御状態を示した実施例の平面図。
【発明を実施するための形態】
【００１０】
本発明の実施の形態を図示した実施例によって説明する。本発明の光量調整装置は、単体の装置として構成することも、シャッタ装置と共にユニット化した装置として構成することも可能であるが、実施例は、単体の光量調整装置として構成したものである。
【００１１】
先ず本実施例の構成を図１から図３を用いて説明する。地板１は、図面の紙面表面側に配置された周知のカバー板との間に羽根室を構成している。カバー板は、適宜な手段により地板１の表面側に取り付けられており、地板１とは略同じ形状をしているが、各図においては、羽根室内の構成を分かり易くするために図示を省略している。また地板１は、その中央部に光軸を中心にした円形の開口部１ａを形成しており、羽根室側の面には、開口部１ａの周りに略等角度間隔位置に七つの羽根取付軸１ｂが立設されているが、図１、図３においては、それらの一つだけに符号を付けてある。さらに、地板１には後述するばね６の一方の腕部の外れ防止のための突部１ｃ、及び駆動リング４の最大絞り開口位置のストッパ１ｄと最小絞り開口位置のストッパ１ｅが立設されている。
【００１２】
また、羽根室内には駆動リング４が配置されていて、光軸を中心にした開口部１ａの周りを地板１に設けられたストッパ１ｄとストッパ１ｅの間で往復回転させられるようになっている。この駆動リング４は、外周の一部に歯部４ａを設けていて、後述する親子歯車３と歯合するようになっている。さらに、駆動リング４は、光軸を中心にした開口部１ａの周りに略等角度間隔となる長孔形状のカム溝４ｂを形成しているが、図１、図３においては、それらの一つにだけ符号を付けてある。
【００１３】
また駆動リング４よりも図面の紙面表面側には７枚の絞り羽根５が配置されているが、それらは全て同じ形状をしているため、図１、図３においては、それらのうちの１枚だけに符号を付けてある。そして、それら絞り羽根５は、地板１の取付軸１ｂに回転可能に各々取り付けるための取付孔５ａを有し、さらに駆動リング４の７つのカム溝４ｂに各々挿入される連結ピン５ｂを形成している。さらに、図２に示されたように、カム溝４ｂのカム面には複数の被係合部４ｃが形成されていて、連結ピン５ｂが、ねじりコイルばね６の付勢力により被係合部４ｃの中のいずれか一つに押圧されるようになっている。
【００１４】
このような駆動リング４が、ストッパ１ｄと１ｅ間の回転角度範囲内において、ステップモータ２によりて往復回転されるようになっている。その構成は周知であるため、その詳細な説明は省略する。ステップモータ２は、地板１の羽根室外に配置されていて羽根室側に貫通させた出力軸に出力歯車２ａを取り付けている。そして出力歯車２ａは、地板１に配置された二つの親子歯車（二段歯車）３に歯合し、その子歯車は駆動リング４の歯部４ａに歯合している。
【００１５】
地板１の取付軸１ｂには、絞り羽根５の付勢部材としてのねじりコイルばね６が巻回されている。ねじりコイルばね６は、その一方の腕部を地板１に形成された突起部１ｃにより外れないように掛けられ、他方の腕部を絞り羽根５の外周縁に掛けており、絞り羽根５を、光軸と交叉する方向の最大絞り開口側に向けて押圧付勢している。それにより絞り羽根５の連結軸５ｂが、駆動リング４のカム溝４ｂのカム面に形成された被係合部４ｃに向けて常に押圧付勢されるが、図１、図３においては、それらの一つだけを示している。そして、カム溝４ｂが連結ピン５ｂにカム作用をおよぼす領域のカム面は、常にねじりコイルばね６の付勢方向Ｆと平行にならないようになっている。
【００１６】
次に、本実施例の作動を説明する。図１は、７枚の絞り羽根５が開口部１ａよりも大きく開いて開口部１ａを全開にしている状態、即ち最大絞り開口の制御状態を示したものである。この時、各絞り羽根５は、各ねじりコイルばね６により最大絞り開口方向に常に付勢されているので駆動リング４のカム溝４ｂと絞り羽根５の連結ピン５ｂの間のガタが無くなり、この状態が好適に維持される。そして、被写体光が、所定の明るさよりも暗い場合には、このまま撮影が行われるが、被写体光が、所定の明るさよりも明るい場合には、ステップモータ２の出力歯車２ａが反時計方向へ回転させられる。それによって、駆動リング４が、親子歯車３を介して時計方向へ回転させられるので、ねじりコイルばね６に付勢された７枚の絞り羽根５は、ねじりコイルばね６の付勢力に抗して連結軸５ｂを駆動リング４のカム溝４ｂに押され、同時に反時計方向へ回転させられて開口部１ａ内に進入し、各絞り羽根５の協働によって絞り開口を小さくしていく。
【００１７】
この時、各絞り羽根５は、各ねじりコイルばね６で最大絞り開口方向に付勢されているので連結軸５ｂと駆動リング４のカム溝４ｂのカム面とのガタが無くなり、さらに駆動リング４と歯車連結されたステップモータ２とのガタも無くなり、常に安定した絞り開口径を高精度に得ることができる。
【００１８】
また、所定の絞り口径において、絞り羽根５の連結軸５ｂが、駆動リング４のカム溝４ｂに形成された複数の被係合部４ｃの中の一つに係合することで、所定の絞り口径が高精度に得られる。また、この状態で撮影が行われる場合には、ステップモータへの通電が断たれることもあるが、この場合、例えば落下等により装置に外部から衝撃が加わったとしても、絞り羽根５の連結軸５ｂが、駆動リング４のカム溝４ｂに形成された複数の被係合部４ｃの中の一つに係合するので、所定の絞り開口を確実に維持させることができる。
【００１９】
その後、さらにステップモータ２が回転すると、７枚の絞り羽根５が最小絞り開口位置に達してステップモータへの通電が断たれる。図３はこの状態を示したものである。尚、本実施例は、図１が撮影開始前の初期位置であることにして説明したが、図３に示された状態を撮影開始前の初期位置にしても差し支えない。
【００２０】
このように、本実施例の場合には、絞り羽根５が常にねじりコイルばね６により付勢されていると共に、絞り羽根５の連結軸５ｂが、駆動リング４のカム溝４ｂに形成された複数の被係合部４ｃの中の一つに係合するため、絞り羽根５と駆動リング４との間のガタが無くなり、任意の絞り口径が高精度に維持されるようになっている。
【００２１】
本実施例においては、地板１に取付軸１ｂを立設して絞り羽根５の取付孔５ａを取り付けるようにしたが、絞り羽根５に取付軸を設けるようにしても差し支えない。また、ねじりコイルばね６は、絞り羽根５を最大絞り口径方向に付勢させるようにしたが、絞り羽根５の最小絞り口径方向に付勢させるようにしても差し支えない。さらに、ねじりコイルばね６は、絞り羽根５の外周縁に掛けられて押圧付勢するようにしたが、絞り羽根５の連結軸５ｂに掛けて押圧付勢するようにしても差し支えない。
【産業上の利用可能性】
【００２２】
以上述べたように、本発明の絞り装置は、絞り口径を高精度に維持することができるため、一眼カメラ、ミラーレスカメラ等の光学機器に適用できる。
【符号の説明】
【００２３】
１            地板
１ａ          開口部
１ｂ          取付軸
１ｄ，１ｆ    ストッパ
２            ステップモータ
４            駆動リング
４ａ          歯部
４ｂ          カム溝
５            絞り羽根
５ｂ          連結ピン
５ｃ          被係合部
６            ねじりコイルばね
Ｆ            ねじりコイルばねの付勢方向
【図１】
2016143052.tif 000003
【図２】
2016143052.tif 000004
【図３】
2016143052.tif 000005